(57)【特許請求の範囲】
【請求項１】
地下埋設器を収容するべく地下に埋設される本体と、
開口部を有しており、該開口部を地表で開口させるべく上記本体の上部に設けられた上枠部と、
上記上枠部に取り付けられ、上記開口部を開閉自在としている蓋体と、
を備え、
上記蓋体は、略板状をなす蓋本体と、該蓋本体の周面から延出して形成された支持腕とを有しており、
上記上枠部は、筒状をなす枠本体を有し、該枠本体には、上記蓋体の支持腕が取着される取着座が設けられており、
上記支持腕には回動孔を設ける一方で、上記取着座には回動軸を設け、該回動孔の内側に該回動軸が位置することで、上記取着座に対して上記支持腕が回動自在に構成されており、
上記枠本体の内周面において、上下方向の中間部分には環状リブが突出形成され、
上記回動孔の周縁には、該回動孔の一部を外側に向かって開放する着脱口を設け、該着脱口を介して上記回動軸が上記回動孔に対して係脱されることで、上記取着座に対して上記支持腕が着脱自在に構成されており、
上記蓋体が上記開口部を閉塞した状態で、該蓋体が上記環状リブに載せられることで下方から支持され、かつ上記着脱口は、該状態で上記取着座に対して上記支持腕を着脱することができるように、開口方向が鉛直方向の下方となるように定められており、そして支持腕と取着座との間には、蓋体を上方へ押し上げるための道具を差し込むことができる隙間が形成される
ことを特徴とする地下埋設器用ボックス。
【請求項２】
上記回動軸は断面形状が楕円形とされ、上記取着座に上記支持腕を着脱する際に、該楕円形の長径が該支持腕の着脱方向に延びるように配置されている
請求項１に記載の地下埋設器用ボックス。
【請求項３】
上記着脱口はその開口幅が、断面形状が楕円形とされている上記回動軸の短径よりも小さくなるように設定されている
請求項２に記載の地下埋設器用ボックス。
【請求項４】
地下埋設器を収容するべく地下に埋設される本体と、該本体の上部に設けられて地表で開口する開口部を有している上枠部と、を備え、該上枠部が筒状をなす枠本体を有し、該枠本体には取着座が設けられ、該取着座に回動軸が設けられているとともに、該枠本体の内周面における上下方向の中間部分には環状リブが突出形成されている地下埋設器用ボックスにおいて、該開口部を開閉自在とするべく、上記回動軸に対して回動自在に取り付けられる蓋体であって、
略板状をなす蓋本体と、該蓋本体の周面から延出して形成された支持腕と、を備え、
上記支持腕には、上記回動軸を挿着する回動孔が設けられており、
上記回動孔の周縁には、該回動孔の一部を外側に向かって開放する着脱口を設け、該着脱口を介して上記回動軸が上記回動孔に対して係脱されることで、上記回動軸に対して上記支持腕を着脱自在に構成するとともに、
上記着脱口は、上記蓋本体が上記開口部を閉塞した状態で、該蓋本体が上記環状リブに載せられることで下方から支持され、かつ該状態で上記回動軸に対して上記支持腕を着脱することができるように、開口方向が鉛直方向の下方となるように定められており、
また、上記蓋本体が上記開口部を閉塞した状態で、上記支持腕と上記取着座との間に、上記蓋体を上方へ押し上げるための道具を差し込むことができる隙間が形成されるように構成されている
ことを特徴とする地下埋設器用ボックスの蓋体。
【発明の詳細な説明】
【技術分野】
【０００１】
本発明は、地中に埋設される、例えば止水栓、量水器、水道メーター、給水栓、散水栓、電磁弁等といった地下埋設器をカバーして保護するとともに、必要時には蓋体を開けることで該地下埋設器を利用可能に構成された、地下埋設器用ボックス及び蓋体に関するものである。
【背景技術】
【０００２】
従来、上記のような地下埋設器用ボックスは、地中に埋設された止水栓等の地下埋設器の周囲を囲む筒状の本体と、該本体の上部に取り付けられた上枠部と、を有しており、該上枠部に開口部が設けられ、該開口部を開閉する蓋体を取り付けて構成されている（例えば特許文献１，２参照）。また蓋体は、該蓋体に設けられた支持腕に円穴を形成し、該円穴に挿通されるようにしてピン等の軸体を上記上枠部の外側から打ち込む等することにより、該上枠部等に対して着脱できないように取り付けられている。  上記地下埋設器用ボックスは、止水栓等の地下埋設器が地中に設置されていることから、本体や上枠部は地中に埋設されているが、必要時には地上から開口部を介して地下埋設器を利用出来るようにするために、該開口部を開閉する蓋体は、地面に露出された状態で配設されている。このように地面に露出されていることから、該蓋体は、地面とともに衝撃等をうけることが多く、割れたり、壊れたりすることがある。そして、上記のように蓋体が着脱できないように取り付けられている地下埋設器用ボックスの場合、破損した蓋体を新しいものと交換するには、穴を掘ったうえで、上枠部とともに、あるいは本体及び上枠部とともに交換しなければならない。  そこで、上記蓋体を着脱可能とした地下埋設器用ボックスが提案されている（例えば特許文献３参照）。  例えば、特許文献３に記載のカバーボックスは、蓋体の周面から支持腕を横方向へ延出して形成し、該支持腕に回動孔を設けるとともに、該回動孔には、該支持腕の延びる方向と同方向に開口する着脱口が設けられており、蓋体の位置を開口部が開放される位置としたうえで、該蓋体を上方へ引っ張ったり、下方へ押し込んだりすることにより、該蓋体を着脱することができるように構成されている。
【先行技術文献】
【特許文献】
【０００３】
【特許文献１】特許第３２８６６７０号公報
【特許文献２】特開２００２−２２０８５７号公報
【特許文献３】特開２００８−２６６９７４号公報
【発明の概要】
【発明が解決しようとする課題】
【０００４】
ところが、上記従来の地下埋設器用ボックスにおいては、開口部が開放される位置で蓋体が着脱可能に構成されていることから、地下埋設器を利用するべく開口部を開放したときに、作業者の意図によらず蓋体が外れてしまうという問題があった。  本発明は、このような従来技術に存在する問題点に着目してなされたものである。その目的とするところは、破損時の交換等のために蓋体を着脱できるとともに、開口部の開放時に蓋体が取り外されてしまうことを抑制することができる地下埋設器用ボックス及び蓋体を提供することにある。
【課題を解決するための手段】
【０００５】
上記従来の問題点を解決する手段として、請求項１に記載の地下埋設器用ボックスの発
明は、地下埋設器を収容するべく地下に埋設される本体と、開口部を有しており、該開口
部を地表で開口させるべく上記本体の上部に設けられた上枠部と、上記上枠部に取り付けられ、上記開口部を開閉自在としている蓋体と、を備え、上記蓋体は、略板状をなす蓋本体と、該蓋本体の周面から延出して形成された支持腕とを有しており、上記上枠部は、筒状をなす枠本体を有し、該枠本体には、上記蓋体の支持腕が取着される取着座が設けられており、上記支持腕には回動孔を設ける一方で、上記取着座には回動軸を設け、該回動孔の内側に該回動軸が位置することで、上記取着座に対して上記支持腕が回動自在に構成されており、上記枠本体の内周面において、上下方向の中間部分には環状リブが突出形成され、上記回動孔の周縁には、該回動孔の一部を外側に向かって開放する着脱口を設け、該着脱口を介して上記回動軸が上記回動孔に対して係脱されることで、上記取着座に対して上記支持腕が着脱自在に構成されており、上記蓋体が上記開口部を閉塞した状態で、該蓋体が上記環状リブに載せられることで下方から支持され、かつ上記着脱口は、該状態で上記取着座に対して上記支持腕を着脱することができるように、開口方向が鉛直方向の下方となるように定められており、そして支持腕と取着座との間には、蓋体を上方へ押し上げるための道具を差し込むことができる隙間が形成されることを要旨とする。
請求項２に記載の発明は、請求項１に記載の地下埋設器用ボックスの発明において、上
記回動軸は断面形状が楕円形とされ、上記取着座に上記支持腕を着脱する際に、該楕円形
の長径が該支持腕の着脱方向に延びるように配置されていることを要旨とする。
請求項３に記載の発明は、請求項２に記載の地下埋設器用ボックスの発明において、上
記着脱口はその開口幅が、断面形状が楕円形とされている上記回動軸の短径よりも小さく
なるように設定されていることを要旨とする。
請求項４に記載の蓋体の発明は、地下埋設器を収容するべく地下に埋設される本体と、該本体の上部に設けられて地表で開口する開口部を有している上枠部と、を備え、該上枠部が筒状をなす枠本体を有し、該枠本体には取着座が設けられ、該取着座に回動軸が設けられているとともに、該枠本体の内周面における上下方向の中間部分には環状リブが突出形成されている地下埋設器用ボックスにおいて、該開口部を開閉自在とするべく、上記回動軸に対して回動自在に取り付けられる蓋体であって、略板状をなす蓋本体と、該蓋本体の周面から延出して形成された支持腕と、を備え、上記支持腕には、上記回動軸を挿着する回動孔が設けられており、上記回動孔の周縁には、該回動孔の一部を外側に向かって開放する着脱口を設け、該着脱口を介して上記回動軸が上記回動孔に対して係脱されることで、上記回動軸に対して上記支持腕を着脱自在に構成するとともに、上記着脱口は、上記蓋本体が上記開口部を閉塞した状態で、該蓋本体が上記環状リブに載せられることで下方から支持され、かつ該状態で上記回動軸に対して上記支持腕を着脱することができるように、開口方向が鉛直方向の下方となるように定められており、また、上記蓋本体が上記開口部を閉塞した状態で、上記支持腕と上記取着座との間に、上記蓋体を上方へ押し上げるための道具を差し込むことができる隙間が形成されるように構成されていることを要旨とする。
【発明の効果】
【０００６】
〔作用〕  本発明によれば、上枠部に対して蓋体を回動自在に取り付けるべく設けられた回動孔の周縁には、該回動孔の一部を外側に向かって開放する着脱口が設けられている。そして、該着脱口を介して該回動孔へ回動軸を係脱させることで、上枠部に対して蓋体を着脱することができる。  また上記着脱口は、上記蓋体が上記開口部を閉塞した状態で上記取着座に対して上記支持腕を着脱することができるように、開口方向が定められている。具体的に、着脱口は、その開口方向が、蓋体の蓋本体が略水平に配された状態で略下向きの方向となるように設けられている。従って、上記蓋体が上記開口部を開放した位置とされた状態で、該着脱口は、該開口部の内側へ向かう横向きの方向で開口することになるので、該開口部を開放したときに蓋体が外れてしまうことを抑制することができる。  また回動軸は、断面形状を楕円形とし、該楕円形の長径が該支持腕の着脱方向に延びるように配置されている、つまり短径が着脱口に対応するように配置されているため、着脱時には作業を行いやすく、着脱以外の作業では蓋体を外れにくくすることができる。  また着脱口の開口幅は、断面形状が楕円形の回動軸の短径よりも小さく設定されているので、上記蓋体が上記開口部を閉塞した位置にある状態であっても、振動や衝撃等のような作業者が意図しない状況で蓋体が容易に外れてしまうことを抑制することができる。  
【０００７】
〔効果〕  本発明の地下埋設器用ボックス及び蓋体によれば、破損時の交換等のために蓋体を着脱できるとともに、開口部の開放時に蓋体が取り外されてしまうことを抑制することができる。
【図面の簡単な説明】
【０００８】
【図１】実施形態の地下埋設器用ボックスを示す分解状態の側断面図。
【図２】実施形態の上枠部を示す（ａ）は平面図、（ｂ）は側面図、（ｃ）は側断面図。
【図３】実施形態の蓋体を示す（ａ）は平面図、（ｂ）は側面図、（ｃ）は側断面図。
【図４】上枠部に蓋体を取り付ける状態を示す側断面図。
【図５】回動孔に回動軸を係入する状態を示す側断面図。
【図６】蓋体で開口部を開放した状態を示す側断面図。
【図７】蓋体を上枠部から取り外す状態を示す側断面図。
【発明を実施するための形態】
【０００９】
以下、本発明の地下埋設器用ボックス及
び蓋体を具体化した実施形態について、図面を用いて詳細に説明する。  図１に示すように、本実施形態の地下埋設器用ボックスである止水栓ボックス１０は、本体１１と、該本体１１の上部に取り付けられた上枠部１２と、該上枠部１２に取り付けられた蓋体１３と、を備えている。  上記本体１１は、筒状に形成され、その内部は中空となっており、該内部の底には、地下埋設器である止水栓ＷＶが収容されている。該本体１１は、地中に埋設された該止水栓ＷＶが土中に埋まってしまわないように設けられたものであり、該止水栓ＷＶと同じく地表ＧＬよりも地下に埋設されている。  
【００１０】
図２（ａ）〜（ｃ）に示すように、上記上枠部１２は、筒状をなす枠本体１２Ａを有しており、該枠本体１２Ａの上端の開口が上記止水栓ＷＶを利用するための開口部１４とされ、該開口部１４が地表ＧＬで開口するように配設されている。  上記枠本体１２Ａの上端において、外周面上にはフランジ１２Ｂが、枠本体１２Ａの軸線と直交する方向に延設されており、該フランジ１２Ｂによって開口部１４の周縁が補強されている。  上記枠本体１２Ａの内周面において、上下方向の中間部分には、環状リブ１２Ｃが突出形成されている。該環状リブ１２Ｃは、上記枠本体１２Ａを内側から補強するとともに、図１中に二点鎖線で示すように、上記蓋体１３で上記開口部１４を閉塞した際、その上面に該蓋体１３が載せられることで、該蓋体１３を下方から支持する。  上記枠本体１２Ａの後部（図２（ａ）中で上部）には、該枠本体１２Ａの周壁を後方へ四角筒状に突出させるようにして、取着座１５が膨出形成されている。そして該取着座１５の内側で両側面には、それぞれに回動軸１６が内側に向かって突設されている。  
【００１１】
上記蓋体１３は、上記開口部１４を開閉自在とするべく、該開口部１４の内側に取り付けられている。  図３（ａ）〜（ｃ）に示すように、該蓋体１３は、円盤状をなす蓋本体１３Ａと、該蓋本体１３Ａの後部（図３（ａ）中で上部）で周面から略水平方向の後方に延出して形成された支持腕１７と、を有している。  上記蓋本体１３Ａは、円板状の天壁１３Ｂと、該天壁１３Ｂの下面周縁から下方へ延設された周壁１３Ｃとによって構成されている。また蓋本体１３Ａの前部（図３（ａ）中で下部）には、指掛け凹部１３Ｄが凹設されている。  上記支持腕１７は、所定間隔をおいて対向配置された一対の薄板状をなす軸受片１７Ａと、これら軸受片１７Ａの上面を繋ぐように上記蓋本体１３Ａの上部から後方へ延設された補強板１７Ｂと、によって、上記蓋体１３を背面から見て逆凹字状をなすように形成されている。  上記軸受片１７Ａの略中央には、回動孔１８が透設されている。該回動孔１８の周縁には、上記軸受片１７Ａの一周縁部（図３（ｂ），（ｃ）中で下縁部）を切り欠くことにより、着脱口１９が形成されている。該着脱口１９は、上記回動孔１８の周縁の一部を外側に向かって開放している。この実施形態の着脱口１９は、上記蓋体１３（あるいは蓋本体１３Ａ）が水平な状態、つまり上記蓋体１３が上記開口部１４を閉塞する位置の状態で、開口方向が鉛直方向の下方となるように定められている。  
【００１２】
ここで、上記本体１１、上記上枠部１２、及び上記蓋体１３に使用する材料について説明すると、該材料は、特に限定されず、通常使用されている材料を使用可能であるが、入手容易性、強度、耐水性、耐薬品性、電気絶縁性、生産性等の観点から、熱可塑性樹脂を用いることが望ましい。該熱可塑性樹脂としては、ポリエチレン、ポリプロピレン等のオレフィン系樹脂、ポリ塩化ビニル等のビニル系樹脂、ポリエチレンテレフタレート等のエステル系樹脂、アクリロニトリル−ブタジエン−スチレン共重合樹脂（ＡＢＳ樹脂）等が挙げられる。また該熱可塑性樹脂、あるいは熱硬化性樹脂を用いることで、ガラス繊維強化樹脂（ＦＲＰ）や炭素繊維強化樹脂（ＣＦＲＰ）を材料に用いてもよく、あるいはこれらの廃（再生）プラスチック等を材料に用いてもよい。  
【００１３】
上記蓋体１３の上記上枠部１２への取り付けは、上記回動軸１６を上記回動孔１８の内側へ係入することによって行われる。  すなわち、図４に示すように、上記回動軸１６は、断面形状が楕円形とされており、長径ＲＬと短径ＲＳとを有している。  また該回動軸１６は、上記取着座１５に上記支持腕１７を着脱する際に、該楕円形の長径ＲＬが該支持腕１７の着脱方向、つまりは図４中で上下方向に延びるように配置されることで、短径ＲＳを上記着脱口１９の開口幅Ｗに対応させている。  さらに該着脱口１９の開口幅Ｗは、回動軸１６の短径ＲＳよりも若干小さくなるように（Ｗ＜ＲＳ）設定されている。  
【００１４】
上記回動軸１６を上記回動孔１８の内側へ係入する際には、上記蓋体１３を水平な位置とし、上記支持腕１７を上記取着座１５の位置に合わせつつ、上記蓋体１３を上記開口部１４へ挿入した後、図５に示すように、上記回動孔１８の着脱口１９を上記回動軸１６に押し当てたうえで、該支持腕１７を下方へ押圧する。すると、該着脱口１９の開口幅Ｗが該回動軸１６の短径ＲＳよりも若干小さいことから、図５中に二点鎖線で示すように、軸受片１７Ａの側縁が弾性変形して該着脱口１９が広がり、回動軸１６が回動孔１８の内側へ係入される。  
【００１５】
弾性変形した軸受片１７Ａの側縁は、回動軸１６の周面を乗り越えた後で元の形状に復帰し、広がった着脱口１９を元の開口幅Ｗに戻す。上記したように、該着脱口１９の開口幅Ｗは回動軸１６の短径ＲＳよりも若干小さいので、該回動軸１６の該回動孔１８の内側からの抜け出しが抑制される。  そして、上記回動孔１８の内側に上記回動軸１６が位置することで、図６に示すように、上記取着座１５に対して上記支持腕１７が回動自在となり、上記蓋体１３を上記開口部１４で開放又は閉塞することができるようになる。  
【００１６】
上記のように回動孔１８の内側に回動軸１６が位置する状態で、該回動軸１６の周面は必ずしも回動孔１８の内周面に接触しておらず、該回動軸１６の周囲には間隙２０が設けられることになる。  回動孔１８の内側で回動軸１６の周囲に間隙２０を設ける構成とした場合、回動孔１８への回動軸１６の係入が不完全となる、つまり回動孔１８への係入途中で回動軸１６が引っ掛かって着脱口１９が開口幅Ｗよりも広がったままの状態になることを抑制できるという利点がある。例えば、回動孔と回動軸とを略同じサイズとし、回動孔の内周面が回動軸の周面に常時接触して間隙がない構成とした場合、該構成で上記のような着脱口を設けると、着脱口を介した回動孔への回動軸の係入の際に、弾性変形した回動孔の周縁部分が回動軸の周面を乗り越えようとするときに元の形状に復帰しようとする力で該回動軸を強く挟み込んでしまい、回動孔への係入途中で回動軸が引っ掛かりやすくなる。  さらに、該間隙２０が設けられた分、回動孔１８内での回動軸１６の位置を調節することができるという利点があり、例えば図６に示すように、上記開口部１４が開放された状態で、回動孔１８内の角部で回動軸１６を係止し、支持腕１７の表面を取着座１５の内側で後面に当接させることにより、上記蓋体１３が不用意に回動して開口部１４を閉塞してしまうことを防止することができるようになる。  また上記蓋体１３が上記開口部１４を開放する位置の状態（図６に示す位置の状態）では、上記回動孔１８の着脱口１９は、開口部１４の内側へ向かって横方向に開口している。該蓋体１３が該位置の状態では、上記したように支持腕１７の表面が取着座１５の内側で後面に当接しており、該蓋体１３を横方向へ移動することができない。従って、回動軸１６は、着脱口１９を介して回動孔１８内から抜け出すことができず、蓋体１３を上枠部１２から取り外すことはできない。  
【００１７】
蓋体１３を上枠部１２から取り外す場合には、図７に示すように、上記蓋体１３を、上記開口部１４を閉塞する位置の状態にする。すると、該蓋体１３は環状リブ１２Ｃによって下方から支持されるので、支持腕１７の表面と取着座１５の内側で後面との間に隙間２１を形成することができる。そして、該隙間２１と、上記指掛け凹部１３Ｄとに、ドライバー等の道具Ｔを差し込み、該蓋体１３を上方へ押し上げることで、着脱口１９を介して回動孔１８内から回動軸１６が抜け出し、蓋体１３が上枠部１２から取り外される。  なお、着脱口１９を介して回動孔１８内から回動軸１６を抜け出させるときに、該着脱口１９の開口幅Ｗを広げるべく上記軸受片１７Ａの側縁を弾性変形させることができる程度の力を要するが、該力については上記道具Ｔを梃子として使用すれば容易に得られ、また蓋体１３の取り外しに該力を要する構成とすることで、該蓋体１３が上記開口部１４を閉塞する位置の状態で上記上枠部１２から不用意に外れてしまうことを防止できる。  
【００１８】
本発明は、上記実施形態に限定されるものではなく、以下のように変更してもよい。  上記実施形態では、地下埋設器用ボックスを止水栓ボックス１０としたが、例えば量水器ボックスや散水栓ボックスとしてもよい。また当然ではあるが、止水栓ボックス１０は平面視で円形状のものとしたが、平面視で四角形状のものとしてもよく、またメーターボックスの場合であれば、平面視で横長四角形状のものとしてもよい。
【産業上の利用可能性】
【００１９】
本発明の地下埋設器用ボックスによれば、破損時の交換等のために蓋体を着脱できるとともに、開口部の開放時に蓋体が取り外されてしまうことを抑制することができるから、産業上の利用可能性がある。
【符号の説明】
【００２０】
１０      止水栓ボックス１１      本体１２      上枠部１２Ａ    枠本体１２Ｂ    フランジ１２Ｃ    環状リブ１３      蓋体１３Ａ    蓋本体１３Ｂ    天壁１３Ｃ    周壁１３Ｄ    指掛け凹部１４      開口部１５      取着座１６      回動軸１７      支持腕１７Ａ    軸受片１７Ｂ    補強板１８      回動孔１９      着脱口２０      間隙２１      隙間ＷＶ      止水栓ＧＬ      地表Ｔ        道具 
【図１】
0005838490.tif 000002
【図２】
0005838490.tif 000003
【図３】
0005838490.tif 000004
【図４】
0005838490.tif 000005
【図５】
0005838490.tif 000006
【図６】
0005838490.tif 000007
【図７】
0005838490.tif 000008